(57)【特許請求の範囲】
【請求項１】
内部の配線を覆い、かつ、主開閉器のハンドルに対応する箇所に開口窓を有する本体カバーと、
前記開口窓を覆うように前記本体カバーに取り付けられ、かつ、外側から手で開けることが可能なハンドルカバーとを備え、
前記主開閉器のハンドルの動作範囲は、前記本体カバーの外側面より外側に出ており、
前記ハンドルカバーは、前記主開閉器のハンドルを覆うように前記本体カバーの外側面より外側に突出した形状であり、
前記ハンドルカバーは、指を掛けることが可能な凹部が形成されている側壁を有することを特徴とする分電盤。
【請求項２】
前記ハンドルカバーは、２つの切れ込みが形成されている側壁を有し、
前記側壁は、２つの前記切れ込みの間に、前記本体カバーと係合する係合部を有することを特徴とする請求項１に記載の分電盤。
【請求項３】
前記ハンドルカバーを前記本体カバーに取り付けた状態において、前記ハンドルカバーの上側面は、前記上側面に載った物体が落ちるように傾斜していることを特徴とする請求項１または２に記載の分電盤。
【請求項４】
内部の配線を覆い、かつ、主開閉器のハンドルに対応する箇所に開口窓を有する本体カバーと、
前記開口窓を覆うように前記本体カバーに取り付けられ、かつ、外側から手で開けることが可能なハンドルカバーとを備え、
前記ハンドルカバーは、互いに対向する第１側壁および第２側壁を有し、
前記第１側壁には、第１係合部が設けられており、
前記第２側壁には、第２係合部が設けられており、
前記本体カバーは、前記開口窓を介して互いに対向する第１窓壁および第２窓壁を有し、
前記第１窓壁および前記第２窓壁の両方に、前記第１係合部に係合する第３係合部と、前記第２係合部に係合する第４係合部とが設けられていることを特徴とする分電盤。
【請求項５】
前記ハンドルカバーは、前記開口窓に掛かる規制突起を有し、
前記規制突起は、前記本体カバーに対して前記ハンドルカバーの上下方向の位置を規制することを特徴とする請求項１から４のいずれか一項に記載の分電盤。
【請求項６】
前記ハンドルカバーは、ほぼ前記開口窓の範囲に収まっていることを特徴とする請求項１から５のいずれか一項に記載の分電盤。
【発明の詳細な説明】
【技術分野】
【０００１】
本発明は分電盤に関する。
【背景技術】
【０００２】
主開閉器が設けられた分電盤では、主開閉器に設けられたハンドルによって該主開閉器の開閉を切り替える。通常、主開閉器のハンドルは、操作可能なように外部に露出している。
【０００３】
特許文献１には、主開閉器のハンドルがカバーから突出している分電盤が記載されている。特許文献２には、箱体本体を覆う扉体を設けた分電盤が記載されている。特許文献３には、分電盤全体を覆う透明な扉体を設けた分電盤が記載されている。
【先行技術文献】
【特許文献】
【０００４】
【特許文献１】特開平９−６５５１７号公報（１９９７年３月７日公開）
【特許文献２】特開平７−２８４２０４号公報（１９９５年１０月２７日公開）
【特許文献３】特開２０００−３２４６２６号公報（２０００年１１月２４日公開）
【発明の概要】
【発明が解決しようとする課題】
【０００５】
特許文献１に記載の分電盤では、主開閉器のハンドルが外部に露出している。そのため、外部の物体が主開閉器のハンドルに当たると、主開閉器が誤動作する可能性がある。例えば、遊技場において分電盤に遊技機を接続する場合、分電盤を配置するスペースおよび位置が制限されることがある。分電盤を配置する位置（高さ）によっては、遊技機の玉またはコイン等が分電盤の主開閉器のハンドルに当たる可能性がある。
【０００６】
特許文献２、３に記載の分電盤では、分電盤全体が扉体によって覆われている。そのため、主開閉器のハンドルを操作するときには、扉体を開ける必要がある。したがって、分電盤全体を覆う大きな扉体を開けるために、分電盤の前または周囲に大きなスペースが必要になる。なお、特許文献２の開口カバーは、取り付けた後に取り外すことが考慮されていないものである。
【０００７】
本発明は、外部の物体による誤作動を防止し、かつ、小さいスペースで使用することができる分電盤を実現することを目的とする。
【課題を解決するための手段】
【０００８】
上記の課題を解決するために、本発明の一態様に係る分電盤は、内部の配線を覆い、かつ、主開閉器のハンドルに対応する箇所に開口窓を有する本体カバーと、上記開口窓を覆うように上記本体カバーに取り付けられ、かつ、外側から手で開けることが可能なハンドルカバーとを備える。
【０００９】
上記の構成によれば、ハンドルカバーは、主開閉器のハンドルに対応する箇所に設けられた開口窓を覆うように、本体カバーに取り付けられる。このため、ハンドルはハンドルカバーで覆われることから、該ハンドルが意図せず外部の物体と接触することを防ぐことができる。また、本体カバーに取り付けられたハンドルカバーは、外側から手で開けることが可能となっている。そのため、主開閉器のハンドルを操作するために、本体カバーを開ける必要がない。それゆえ、外部の物体が意図せずハンドルに接触することによる誤動作を防止できるとともに、小さいスペースでも使用可能な分電盤を実現することができる。
【００１０】
また、上記の課題を解決するために、本発明の一態様に係る分電盤において、上記主開閉器のハンドルの動作範囲は、上記本体カバーの外側面より外側に出ており、上記ハンドルカバーは、上記主開閉器のハンドルを覆うように上記本体カバーの外側面より外側に突出した形状であることが好ましい。
【００１１】
上記の構成によれば、ハンドルカバーは、本体カバーに取り付けたときに該本体カバーの外側面より外側に突出する形状となっていることから、上記のような狭い空間しか確保されていない場合でも、容易にハンドルカバーを把持することができる。また、主開閉器のハンドルの動作範囲は、本体カバーの外側面より外側に出ている。このため、分電盤の設置スペースにおいて手でハンドルカバーを把持できる程度の空間しか確保されていない場合でも、該空間にユーザが手を挿入することで、少なくともハンドルの先端部周辺を掴むことができる。それゆえ、小さいスペースで使用する場合でも、操作性に優れるとともに、ハンドルカバーの開閉が容易な分電盤を実現することができる。
【００１２】
また、上記の課題を解決するために、本発明の一態様に係る分電盤において、上記ハンドルカバーは、指を掛けることが可能な凹部が形成されている側壁を有することが好ましい。
【００１３】
上記の構成によれば、ハンドルカバーの凹部に指を掛けることができることから、ユーザがハンドルカバーを把持し易くなるとともに、ハンドルカバーの側壁を押し易くなる。それゆえ、ハンドルカバーを容易に開けることができる。
【００１４】
また、上記の課題を解決するために、本発明の一態様に係る分電盤において、上記ハンドルカバーは、２つの切れ込みが形成されている側壁を有し、上記側壁は、２つの上記切れ込みの間に、上記本体カバーと係合する係合部を有することが好ましい。
【００１５】
上記の構成によれば、ハンドルカバーの側壁は、２つの切れ込みの間に本体カバーと係合する係合部を有している。このため、係合部を本体カバーと係合させることで確実にハンドルカバーを取り付けることができる。また、２つの切れ込みを設けることにより、側壁を指で押した場合に該側壁が曲がり易くなることから、係合部と本体カバーとの係合を容易に解除することができる。このため、ハンドルカバーの取り外しがより容易になる。
【００１６】
また、上記の課題を解決するために、本発明の一態様に係る分電盤において、上記ハンドルカバーを上記本体カバーに取り付けた状態において、上記ハンドルカバーの上側面は、上記上側面に載った物体が落ちるように傾斜していることが好ましい。
【００１７】
上記の構成によれば、物体が落ちるようにハンドルカバーの上側面が傾斜していることから、物体が上記上側面に載ったままになることがなくなる。それゆえ、外部の物体（例えば、玉またはコイン等）がハンドルカバーの上側面に載ったままになることを防ぐことができる。
【００１８】
また、上記の課題を解決するために、本発明の一態様に係る分電盤において、上記ハンドルカバーは、互いに対向する第１側壁および第２側壁を有し、上記第１側壁には、第１係合部が設けられており、上記第２側壁には、第２係合部が設けられており、上記本体カバーは、上記開口窓を介して互いに対向する第１窓壁および第２窓壁を有し、上記第１窓壁および上記第２窓壁の両方に、上記第１係合部に係合する第３係合部と、上記第２係合部に係合する第４係合部とが設けられていることが好ましい。
【００１９】
上記の構成によれば、本体カバーの第１窓壁および第２窓壁の両方に、ハンドルカバーに設けられた第１係合部に係合する第３係合部と、ハンドルカバーに設けられた第２係合部に係合する第４係合部とが設けられている。このため、ハンドルカバーを、中心に対して１８０°回転させても、本体カバーへの取り付けが可能となる。それゆえ、ハンドルカバーの側壁の向きを気にすることなく本体カバーに取り付けできることから、ハンドルカバーの取り付けに関する作業を容易に行うことができる。
【００２０】
また、上記の課題を解決するために、本発明の一態様に係る分電盤において、上記ハンドルカバーは、上記開口窓に掛かる規制突起を有し、上記規制突起は、上記本体カバーに対して上記ハンドルカバーの上下方向の位置を規制することが好ましい。
【００２１】
上記の構成によれば、規制突起によってハンドルカバーの上下方向の位置が規制されるため、衝撃等によってハンドルカバーがずれるまたは脱落することを防ぐことができる。
【００２２】
また、上記の課題を解決するために、本発明の一態様に係る分電盤において、上記ハンドルカバーは、ほぼ上記開口窓の範囲に収まっていることが好ましい。
【００２３】
上記の構成によれば、例えば、ハンドルカバーが回動することにより開閉する構成（回動式）を採用した場合でも、ハンドルカバーを開けるために必要な前面側のスペースを開口窓の大きさの範囲に収めることができる。それゆえ、小さいスペースでも使用可能な分電盤を実現できる。
【発明の効果】
【００２４】
本発明の一態様に係る分電盤によれば、外部の物体による誤作動を防止し、かつ、小さいスペースで使用することができるという効果を奏する。
【図面の簡単な説明】
【００２５】
【図１】本発明の一実施形態に係る分電盤の平面図を示す。
【図２】（ａ）は、主幹ハンドルカバーおよび分岐ハンドルカバーを取り外した状態の分電盤の平面図を示し、（ｂ）は、該状態における分電盤の斜視図を示す。
【図３】（ａ）は、上記主幹ハンドルカバーの平面図を示す。（ｂ）は、上記主幹ハンドルカバーの右側面図を示す。（ｃ）は、上記主幹ハンドルカバーの左前方斜視図を示す。（ｄ）は、上記主幹ハンドルカバーの右前方斜視図を示す。
【図４】主幹ハンドルを通る上記分電盤の断面図である。
【図５】（ａ）は、第１開口窓、主開閉器および上記主幹ハンドルの右前方斜視図を示す。（ｂ）は、上記第１開口窓、上記主開閉器および上記主幹ハンドルの左前方斜視図を示す。
【発明を実施するための形態】
【００２６】
＜分電盤の概要＞
図１は、本発明の一実施形態に係る分電盤１の平面図を示す。図２の（ａ）は、主幹ハンドルカバーおよび分岐ハンドルカバーを取り外した状態の分電盤１の平面図を示し、図２の（ｂ）は、該状態における分電盤の斜視図を示す。
【００２７】
分電盤１は、基台２、本体カバー３、主開閉器４、複数の分岐開閉器５、主幹ハンドルカバー１１（ハンドルカバー）、および分岐ハンドルカバー１２を備える。主開閉器４は、開閉（導通／遮断）の切り替え操作を行うための主幹ハンドル４ａ（ハンドル）を備える。分岐開閉器５は、開閉の切り替え操作を行うための分岐ハンドル５ａを備える。主開閉器４および複数の分岐開閉器５は、基台２に取り付けられる。本体カバー３は、分電盤１の内部に設けられた配線（母線等）を覆うように、基台２に対して取り付けられる。本体カバー３は、主幹ハンドル４ａに対応する箇所に第１開口窓３ａを有し、複数の分岐ハンドル５ａに対応する箇所に第２開口窓３ｂを有する。第２開口窓３ｂには、所定の間隔をおいて複数の架設部１６が設けられている。ここでは、基台２、本体カバー３、主幹ハンドルカバー１１、および分岐ハンドルカバー１２は、樹脂製であるが、これに限らず、金属製であってもよい。
【００２８】
また、本体カバー３には、２つの取手部６が設けられている。取手部６は、本体カバー３を基台２に固定するための部材であるとともに、本体カバー３を基台２から取り外すための部材である。なお、本体カバー３における互いに対向する２つの側面のそれぞれには、それぞれの取手部６を配置するための凹部の空間が設けられている。取手部６は、当該凹部の空間内において可動であるように配置されている。このように、凹部の空間内に取手部６が設けられることにより、本体カバー３の取り外し作業が容易化される。これにより、分電盤１のメンテナンス作業が容易化される。
【００２９】
＜主幹ハンドルカバーの概要＞
図３の（ａ）は、主幹ハンドルカバー１１の平面図を示す。図３の（ｂ）は、主幹ハンドルカバー１１の右側面図を示す。図３の（ｃ）は、主幹ハンドルカバー１１の左前方斜視図を示す。図３の（ｄ）は、主幹ハンドルカバー１１の右前方斜視図を示す。以下、説明の便宜のため、主幹ハンドルカバー１１の側面１１ａ側を上側、側面１１ｂ側を下側とする。主幹ハンドルカバー１１は、互いに対向する第１側壁１１ｃおよび第２側壁１１ｄを有する。
【００３０】
主幹ハンドルカバー１１は、第１開口窓３ａを覆うように、本体カバー３に取り付けられる。また、主幹ハンドルカバー１１は、樹脂製かつ薄い肉厚の筐体であるため、弾性変形可能である。なお、主幹ハンドルカバー１１は、少なくとも部分的に透明または半透明であることが好ましい。これにより、主幹ハンドルカバー１１が閉まった（取り付けられた）状態でも、ユーザは外側から主幹ハンドルカバー１１を通して主幹ハンドル４ａの状態を見ることができる。
【００３１】
主幹ハンドルカバー１１の側面１１ａ（上側面）は、主幹ハンドルカバー１１が本体カバー３に取り付けられた状態で、この面上に物体が載っても落ちるように傾斜している。ここでは、主幹ハンドルカバー１１の側面１１ａは、分電盤１の前面側に傾斜している。このような傾斜を設けることで、例えば、ユーザが、側面１１ａ上に工具を置き忘れるといった事態を防ぐことができる。また、外部の物体（例えばパチンコ玉またはコイン等）が、側面１１ａ上に載ったままになり、主幹ハンドルカバー１１を開けた際に、第１開口窓３ａから分電盤内部に外部の物体が入り込んでしまう事態を防ぐことができる。なお、主幹ハンドルカバー１１は、側面１１ｂも側面１１ａと同様の角度で傾斜している。このような形状にすることで、主幹ハンドルカバー１１の中心に対して主幹ハンドルカバー１１を１８０°回転させた状態で、すなわち、側面１１ｂが上側に位置するように、主幹ハンドルカバー１１を本体カバー３に取り付けた場合でも、上記と同様の効果が得られる。但し、側面１１ａおよび側面１１ｂを傾斜させることは必須ではなく、例えば、側面１１ａおよび側面１１ｂは、主幹ハンドルカバー１１の前側の面（以下、「前面」とする）と直交してもよい。
【００３２】
第１側壁１１ｃの背面側の端部には、切れ込み３３が２つ形成されている。２つの切れ込み３３は、側面１１ａと側面１１ｂとの中心を基準として左右対称の位置に形成されてもよい。また、第１側壁１１ｃには、２つの切れ込み３３に挟まれるように第１係合部３１が設けられている。第１係合部３１は、略長方形の薄板状の凸部である。
【００３３】
第２側壁１１ｄの背面側の端部には、２つの切れ込み３３と同様の位置に、該切れ込み３３と同一形状の切れ込み３４が２つ形成されている。また、第２側壁１１ｄには、２つの切れ込み３４の間に第２係合部３２が２つ設けられている。第２係合部３２は、円柱状（またはドーム状）の凸部である。２つの第２係合部３２は、側面１１ａと側面１１ｂとの中心を基準として左右対称の位置に形成されてもよい。さらに、第２側壁１１ｄの中央、すなわち２つの第２係合部３２の間にはユーザが指を掛けることができる凹部３５が形成されている。
【００３４】
第１係合部３１が後述する第３係合部３６に係合し、第２係合部３２が後述する第４係合部３７に係合することにより、主幹ハンドルカバー１１が本体カバー３に取り付けられる。そのため、主幹ハンドルカバー１１は、工具を使用することなく外側からユーザの手によって着脱（開閉）することができる。また、切れ込み３３および３４を形成することで、ユーザが第１側壁１１ｃおよび第２側壁１１ｄを指で押さえて主幹ハンドルカバー１１を把持したときに、両側壁が撓み易く（弾性変形しやすく）なる。さらに、主幹ハンドルカバー１１を取り外す時に凹部３５に指を掛けることができることから、主幹ハンドルカバー１１の把持が容易になるとともに、第２側壁１１ｄを押し易くなる。また、分電盤１を小さいスペースに使用した場合でも、凹部３５に指を掛けることによって主幹ハンドルカバー１１を取り外すことができる。なお、第１係合部３１および第２係合部３２の形状は任意であり、例えば、第１係合部３１を三角形状または円弧状の薄板としてもよい。また、例えば、第２係合部３２を三角柱状または四角柱状等の多角柱状としてもよい。さらに、第１係合部３１および第２係合部３２の配置および個数についても任意に変更できる。主幹ハンドルカバー１１は、切れ込み３３、３４、および凹部３５を有しない構成でもよいが、取り外しの容易性を考慮すれば、これらを有する構成の方が好ましい。
【００３５】
主幹ハンドルカバー１１の背面側の上部および下部には、それぞれ、線状の突起１１ｅ、１１ｆ（規制突起）が設けられている。突起１１ｅ、１１ｆは、第１開口窓３ａに対する主幹ハンドルカバー１１の位置を規制する。
【００３６】
＜主幹ハンドルの動作範囲と主幹ハンドルカバーの形状との関係＞
図４は、分電盤１の、主開閉器４を通る断面図である。図４は、（ａ）から（ｃ）にかけて、主幹ハンドル４ａが動く様子を示す。主幹ハンドル４ａが動く軌跡と干渉しないように、主幹ハンドルカバー１１は配置される。すなわち、主幹ハンドルカバー１１は、主幹ハンドル４ａの動作範囲より外側に配置される。なお、本実施形態では、主幹ハンドルカバー１１は、ほぼ第１開口窓３ａの範囲に収まるサイズである。
【００３７】
ここで、主開閉器４は分電盤１に電源を供給するための３種類の母線１７全てに接続されている。一方、各分岐開閉器５は、３種類の母線１７のうちの２つに接続されている。主幹ハンドル４ａは、分岐ハンドル５ａと異なり、本体カバー３の外側面から突出している。このため、主幹ハンドルカバー１１も本体カバー３から突出するように設計される。このように構成することで、分電盤１における分岐開閉器５等の箇所の奥行きサイズを最小限にし、突出する箇所を第１開口窓３ａの辺りだけにすることができる。
【００３８】
なお、分電盤１の用途によっては、分電盤１に主開閉器４が備えられない場合がある。このような場合でも、本体カバー３および主幹ハンドルカバー１１は流用することができる。あるいは、主幹ハンドルカバー１１より外側への突出サイズが小さいカバーを、主幹ハンドルカバー１１の代わりに用いることもできる。
【００３９】
本体カバー３に主幹ハンドルカバー１１が取り付けられた状態において、主幹ハンドルカバー１１の下部の突起１１ｆは、第１開口窓３ａの中に入り込み、第１開口窓３ａの下側の窓壁に接している。同様に、主幹ハンドルカバー１１の上部の突起１１ｅは、第１開口窓３ａの中に入り込み、第１開口窓３ａの上側の窓壁に接している。突起１１ｅ、１１ｆは、主幹ハンドルカバー１１の上下方向の位置を規制する。これにより、主幹ハンドルカバー１１に衝撃等が加わった場合でも、突起１１ｆ（または突起１１ｅ）が第１開口窓３ａの下側（または上側）の窓壁に掛かるので、主幹ハンドルカバー１１のずれまたは脱落を防止することができる。突起１１ｅ、１１ｆは、第１開口窓３ａの上側または下側の窓壁の傾斜と一致した傾斜面を有していてもよい。なお、主幹ハンドルカバー１１を上下逆に取り付けた場合、同様に突起１１ｅが第１開口窓３ａの下側の窓壁に掛かるようになる。
【００４０】
＜第１窓壁および第２窓壁の構成＞
図５の（ａ）は、分電盤１において第１開口窓３ａ、主開閉器４および主幹ハンドル４ａの部分を拡大した右前方斜視図を示す。図５の（ｂ）は、分電盤１において第１開口窓３ａ、主開閉器４および主幹ハンドル４ａの部分を拡大した左前方斜視図を示す。第１開口窓３ａの周囲を囲む４つの窓壁のうち、向かって右側の第１窓壁３８ａおよび左側の第２窓壁３８ｂの両方に、第１係合部３１に係合する第３係合部３６と、第２係合部３２に係合する２つの第４係合部３７とが設けられている。本体カバー３に設けられた第１窓壁３８ａおよび第２窓壁３８ｂは、第１開口窓３ａを介して互いに対向する。第３係合部３６は、薄板状の第１係合部３１と係合可能な凹部（切り欠き）となっている。第４係合部３７は、円柱状の第２係合部３２と係合可能な凹部（切り欠き）となっている。また、第３係合部３６および第４係合部３７は、主幹ハンドルカバー１１を本体カバー３に取り付けた場合に、それぞれ第１係合部３１および第２係合部３２に対応する位置に設けられる。
【００４１】
なお、第３係合部３６および第４係合部３７の形状、個数および配置は任意であり、第１係合部３１および第２係合部３２の形状、個数および配置に対応して、それぞれ設計することができる。例えば、第３係合部３６が第１窓壁３８ａにのみ設けられ、第４係合部３７が第２窓壁３８ｂにのみ設けられてもよい。また、第１〜第４係合部の凹凸の関係が上記の例と逆であってもよい。また、第３係合部３６および第４係合部３７は、第１開口窓３ａの上側および下側の窓壁に設けられてもよい。この場合、第１係合部３１および第２係合部３２はそれぞれ、主幹ハンドルカバー１１の側面１１ａ、または側面１１ｂのいずれかに設けられる。さらに、第１開口窓３ａおよび主幹ハンドルカバー１１を平面視した場合の形状が正方形の場合、第３係合部３６および第４係合部３７は第１開口窓３ａの全ての窓壁に設けられてもよい。この場合、ユーザは、平面視した場合の主幹ハンドルカバー１１の向きを気にすることなく本体カバー３に取り付けできることから、取り付け時の作業容易性がより向上する。
【００４２】
（主幹ハンドルカバーの着脱）
主幹ハンドルカバー１１を本体カバー３に取り付ける場合、例えばまず、凹部３５に指を掛けて該凹部３５の底面を押さえるとともに第１側壁１１ｃもその他の指で押さえることで、主幹ハンドルカバー１１の両側壁を凹ませる。この動作によって、第１係合部３１および第２係合部３２の位置が主幹ハンドルカバー１１における上下方向の中心軸寄りに変位する。そして、この状態を保ちつつ、主幹ハンドルカバー１１の各係合部と本体カバーの各係合部とが対向する位置まで、主幹ハンドルカバー１１を第１開口窓３ａに近づける。そして、指による押圧を緩めることで両側壁の凹みが元に戻り、第３係合部３６に第１係合部３１が挿入され、第４係合部３７に第２係合部３２が挿入される。もちろん、一方の側壁のみを撓ませることにより主幹ハンドルカバー１１を取り付けることも可能である。ここでは、第１係合部３１は、第２係合部３２より長さおよび高さにおいて大きい凸部になっている。それゆえ、先に第１係合部３１を第３係合部３６に合わせることにより、第１係合部３１が第１開口窓３ａへの係合ガイドとなり、主幹ハンドルカバー１１を所定の取り付け位置に合わせやすい。なお、これに限らず、第１係合部３１と第２係合部３２とが同じ形状であってもよい。
【００４３】
主幹ハンドルカバー１１を本体カバー３から取り外す場合、主幹ハンドルカバー１１の両側壁を指で凹ませるまでは取り付けの場合と同様である。凹ませることで、第１係合部３１および第２係合部３２の位置が主幹ハンドルカバー１１における上下方向の中心軸寄りに変位することから、第３係合部３６は第１係合部３１から抜去され、第４係合部３７は第２係合部３２から抜去される。そして、この状態を保ちつつ主幹ハンドルカバー１１を持ち上げることで、本体カバー３から取り外すことができる。
【００４４】
＜分岐ハンドルカバーの概要＞
分岐ハンドルカバー１２は、板状の部材であり、長方形状の外形を有する。分岐ハンドルカバー１２は、樹脂製であり、かつ、薄い板状であるため、弾性変形可能である。分岐ハンドルカバー１２は、複数の切り欠き（４つ、図示せず）を有する。なお、分岐ハンドルカバー１２は、少なくとも部分的に透明または半透明であることが好ましい。これにより、分岐ハンドルカバー１２が閉まった（取り付けられた）状態でも、ユーザは外側から分岐ハンドルカバー１２を通して分岐ハンドル５ａの状態を見ることができる。
【００４５】
本体カバー３は、第２開口窓３ｂの周囲に沿って、分岐ハンドルカバー１２を支持するためのカバー支持面（図示せず）を有する。カバー支持面は、分岐ハンドルカバー１２の縁を支持するために、第２開口窓３ｂの略全体の縁に設けられる。本体カバー３は、本体カバー３から突出する突起である複数の爪（図示せず）を有する。分岐ハンドルカバー１２は、カバー支持面（図示せず）と爪との間に挟まれることにより保持される。
【００４６】
カバー支持面は、第２開口窓３ｂの対向する２辺（長辺）の対向する位置に、それぞれ凹部（図示せず）を有する。また、凹部が配置されている側の第２開口窓３ｂの短辺に、爪（図示せず）が設けられている。これらの爪は、分岐ハンドルカバー１２を押さえて固定するものである。
【００４７】
なお、本体カバー３に分岐ハンドルカバー１２を取り付ける際は、カバー支持面と爪との間に板状の分岐ハンドルカバー１２を差し込み、分岐ハンドルカバー１２をスライドさせる。
【００４８】
＜変形例＞
固定された軸を中心に回動して開く回動式に比べて、着脱式の主幹ハンドルカバー１１の方が、軸等が壊れることがなく、また、主幹ハンドルカバー１１が前側に回動するスペースが必要ない。そのため、小さい（狭い）スペースで分電盤１を使用（設置）することができる。
【００４９】
但し、主幹ハンドルカバー１１は、着脱式ではなく、固定された軸または蝶番の軸を中心に回動して開く構成（回動式）であってもよい。また、例えば、主幹ハンドルカバー１１は、スライドして開くシャッター式であってもよい。主幹ハンドルカバー１１が回動式であっても、主幹ハンドルカバー１１は、主開閉器４の主幹ハンドル４ａに対応した第１開口窓３ａを覆う大きさで十分である。そのため、主幹ハンドルカバー１１を開けるための前面側のスペースが小さくて済む。
【００５０】
＜遊技機への適用＞
本実施形態の分電盤１は、住宅用の分電盤にも適用可能であるが、遊技機（例えば、パチンコ台またはスロット台）向けに特に好適である。その理由について、以下に述べる。
【００５１】
一般的に、複数の遊技機は、島と称される複数のグループごとに電気的な制御が行われる。そして、上述の島の電気的な制御を行うための分電盤（制御盤）は、島盤と称される。遊技機がパチンコ台である場合には、島盤は台の上の部分に設置されることが標準的である。他方、遊技機がスロット台である場合には、島盤は台の下の部分に設置されることが標準的である。このように、一般的に島盤の設置位置は制限されることが多い。従って、島盤は、上下左右が壁に密接した狭いスペース内に設置されることとなる。このため、島盤のメンテナンス作業を行う場合には、島盤のカバーを取り付けるための作業スペースも、非常に狭くなる。
【００５２】
しかしながら、本実施形態の分電盤１によれば、上述した通り、主開閉器４の主幹ハンドル４ａに対応した箇所に主幹ハンドルカバー１１を設け、分岐開閉器５の分岐ハンドル５ａに対応した箇所に分岐ハンドルカバー１２を設けている。そのため、狭いスペース内に分電盤１を配置することができる。また、分電盤１では、主幹ハンドル４ａおよび分岐ハンドル５ａが、それぞれ主幹ハンドルカバー１１および分岐ハンドルカバー１２に覆われているため、パチンコ玉またはコイン等の物体が主幹ハンドル４ａおよび分岐ハンドル５ａに接触することを防ぐことができる。
【００５３】
以上のように、本実施形態の分電盤１は、遊技機用の島盤に特に好適な構成である。なお、本実施形態の分電盤１の構成は、遊技機用の島盤のメンテナンス作業の効率化を目的として、本願の発明者によって新たに見出されたものである。
【００５４】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００５５】
本発明は、分電盤に利用することができる。
【符号の説明】
【００５６】
１          分電盤
３          本体カバー
３ａ        第１開口窓（開口窓）
４          主開閉器
４ａ        主幹ハンドル（ハンドル）
１１        主幹ハンドルカバー（ハンドルカバー）
１１ａ      側面（ハンドルカバーの上側面）
１１ｃ      第１側壁
１１ｄ      第２側壁
１１ｅ、１１ｆ  突起（規制突起）
３１        第１係合部
３２        第２係合部
３３、３４  切れ込み
３５        凹部
３６        第３係合部
３７        第４係合部
３８ａ      第１窓壁
３８ｂ      第２窓壁
【図１】
0006431801.tif 000002
【図２】
0006431801.tif 000003
【図３】
0006431801.tif 000004
【図４】
0006431801.tif 000005
【図５】
0006431801.tif 000006